(57)【要約】【課題】再現性良く、正確に配光角を調整できる電球型ＬＥＤ照明装置を提供する。【解決手段】電球型ＬＥＤ照明装置１は、中心板２の周縁にヒンジ機構４によって屈曲可能に接続される複数の周縁板２Ａ，２Ｂと、中心板２の第１面Ｆと周縁板２Ａ，２Ｂの第１面Ｆと同じ側の面に設けられるＬＥＤ３，３Ａ，３Ｂと、周縁板２Ａ，２Ｂの外側端を中心板２と平行な面内にスライド可能に支持するスライド機構６と、中心板２をスライド機構６が設けられた面に対して垂直な方向に移動させる移動機構１１，１２，１３と、電球型の筐体５と、口金１０と、を備える。レバー１３を図面上方向に移動させると中心板２も同じ距離を図面上方向に移動して、ＬＥＤ３Ａ，３Ｂが外側を向くため、配光角が大きくなる。中心板２を図面下方向に移動させると、ＬＥＤ３Ａ，３Ｂが内側を向くため、配光角が小さくなる。【選択図】図１
2013073676.tif 000002
【特許請求の範囲】
【請求項１】
第１面と該第１面とは反対側の第２面とを有する中心板と、
該中心板の周縁に該中心板に対して前記第１面側にも前記第２面側にも屈曲可能に設けられる複数の周縁板と、
前記複数の周縁板を、前記中心板に対して、前記中心板の同じ面の側に同じ角度だけ屈曲させる屈曲手段と、
前記複数の周縁板のうち少なくとも２枚の周縁板の、前記中心板の第１面と同じ側の面に設けられる発光ダイオードと、
少なくとも前記中心板、前記複数の周縁板、前記発光ダイオードを覆い、前記発光ダイオードの発光方向には光を透過させる筐体と、
該筐体に接続され、前記発光ダイオードに電流を供給するための口金と、
を備える電球型発光ダイオード照明装置。
【請求項２】
前記屈曲手段は、
前記中心板に前記複数の周縁板の内側端をそれぞれ接続するヒンジ機構と、
前記複数の周縁板の外側端を前記中心板に平行な面内にスライド可能に支持するスライド機構と、
前記中心板を前記スライド機構が設けられた面に対して垂直な方向に移動させる移動機構と、
を備える請求項１に記載の電球型発光ダイオード照明装置。
【請求項３】
前記移動機構は、前記中心板の前記第２面に先端が固定されるシャフトと、該シャフトを前記筐体に対して前記垂直な方向に移動可能に支持するシャフトガイドと、前記シャフトに垂直に固定されるレバーからなり、該レバーは前記筐体を貫通しており、前記筐体には前記レバーが前記垂直な方向に移動するための長孔が設けられる請求項２に記載の電球型発光ダイオード照明装置。
【請求項４】
前記移動機構は、前記中心板の前記第２面に先端が固定されたロッドと、該ロッドを前記筐体に対して前記垂直な方向に移動させる駆動機構からなり、該駆動機構は前記筐体の外部に設けられた制御装置によって前記ロッドを精密に移動させることができる請求項２に記載の電球型発光ダイオード照明装置。
【請求項５】
前記駆動機構はエアシリンダである請求項４に記載の電球型発光ダイオード照明装置。
【請求項６】
前記中心板の第１面に前記発光ダイオードが設けられる請求項１乃至５のいずれか１項に記載の電球型発光ダイオード照明装置。
【請求項７】
前記筐体のうち前記光を透過させる部分は透明ガラスまたは透明合成樹脂からなる請求項１乃至６のいずれか１項に記載の電球型発光ダイオード照明装置。
【請求項８】
前記発光ダイオードが前記中心板及び前記複数の周縁板のうち少なくとも１つの面に複数設けられる請求項１乃至７のいずれか１項に記載の電球型発光ダイオード照明装置。
【発明の詳細な説明】
【技術分野】
【０００１】
本発明は、電球型発光ダイオード照明装置に関する。
【背景技術】
【０００２】
発光ダイオード（Light Emitting Diode：ＬＥＤ）は、白熱電球や蛍光灯と比較して、発光寿命が長く、消費電力が小さいという長所を有する。このため、近年、ＬＥＤを光源とする照明装置（以下、「ＬＥＤ照明装置」という。）が普及している。ここで、ＬＥＤから発せられる光は指向性が強いことから、ＬＥＤ照明装置の配光角が小さくなり、照明される範囲が狭くなるという問題がある。
【０００３】
配光角は、ビーム角とも言い、光源や照明装置の周囲の光度分布を表す配光曲線を描いたときに、最大光度の１／２を示す２方向のなす角度として定義される。この配光角が小さいという問題に対応して、照明される方向を自在に変えることができる電球型ＬＥＤランプが開発され、例えば特許文献１に開示されている。
【０００４】
しかし、特許文献１に記載された技術は、ＬＥＤ照明装置で照明される方向を可変とするものであり、配光角を大きくしたり小さくしたりできるものではない。これに対して、配光角を可変としたＬＥＤ照明装置が何種類か開発され、例えば特許文献２乃至特許文献４に開示されている。
【先行技術文献】
【特許文献】
【０００５】
【特許文献１】特開２０１０−２８７５２３号公報
【特許文献２】特開２００３−３０８７２１号公報
【特許文献３】特開２００９−２６６５１３号公報
【特許文献４】特開平０９−１４７０８９号公報
【発明の概要】
【発明が解決しようとする課題】
【０００６】
上記特許文献２乃至特許文献４に記載されたＬＥＤ照明装置は、いずれも弾性を有する基板に複数のＬＥＤを配置し、基板を凸面状や凹面状に変形させることによって配光角を変化させている。このため、配光角の再現性に乏しく、配光角の正確な調整が困難であるという問題点があった。
【０００７】
本発明は、かかる問題点に鑑みてなされたものであって、再現性良く、正確に配光角を調整することができる電球型発光ダイオード照明装置を提供することを目的とする。
【課題を解決するための手段】
【０００８】
上記目的を達成するために、本発明に係る電球型発光ダイオード照明装置は、
第１面と該第１面とは反対側の第２面とを有する中心板と、
該中心板の周縁に該中心板に対して前記第１面側にも前記第２面側にも屈曲可能に設けられる複数の周縁板と、
前記複数の周縁板を、前記中心板に対して、前記中心板の同じ面の側に同じ角度だけ屈曲させる屈曲手段と、
前記複数の周縁板のうち少なくとも２枚の周縁板の、前記中心板の第１面と同じ側の面に設けられる発光ダイオードと、
少なくとも前記中心板、前記複数の周縁板、前記発光ダイオードを覆い、前記発光ダイオードの発光方向には光を透過させる筐体と、
該筐体に接続され、前記発光ダイオードに電流を供給するための口金と、
を備える。
【発明の効果】
【０００９】
本発明によれば、中心板の周縁に発光ダイオードを有する複数の周縁板が設けられ、屈曲手段によって同じ側に同じ角度だけ屈曲する。複数の周縁板が発光ダイオードの設けられた面の側に屈曲すると、複数の発光ダイオードから発せられる光の合計の配光角は小さくなる。複数の周縁板が発光ダイオードの設けられた面と反対側に屈曲すると、複数の発光ダイオードから発せられる光の合計の配光角は大きくなる。そして、配光角は、複数の周縁板が屈曲する角度によって、再現性良く正確に調整することができる。
【図面の簡単な説明】
【００１０】
【図１】本発明の実施形態１に係る電球型発光ダイオード照明装置の全体構成を示す縦断面図である。
【図２】実施形態１に係る電球型発光ダイオード照明装置の中心板及び周縁板の屈曲構造を示す平面図である。
【図３】実施形態１に係る電球型発光ダイオード照明装置の周縁板の屈曲角度を決定する方法を示す説明図である。
【図４】実施形態１に係る電球型発光ダイオード照明装置の配光角が中間の状態を示す縦断面図である。
【図５】実施形態１に係る電球型発光ダイオード照明装置の配光角が大きくなった状態を示す縦断面図である。
【図６】実施形態１に係る電球型発光ダイオード照明装置の配光角が小さくなった状態を示す縦断面図である。
【図７】本発明の実施形態２に係る電球型発光ダイオード照明装置の全体構成を示す縦断面図である。
【図８】実施形態２に係る電球型発光ダイオード照明装置の配光角が大きくなった状態を示す縦断面図である。
【図９】実施形態２に係る電球型発光ダイオード照明装置の配光角が小さくなった状態を示す縦断面図である。
【発明を実施するための形態】
【００１１】
以下、本発明の実施形態に係る電球型発光ダイオード照明装置（以下、「電球型ＬＥＤ照明装置」ともいう。）について、添付の図面を参照しつつ具体的に説明する。
【００１２】
［実施形態１］
本発明の実施形態１に係る電球型ＬＥＤ照明装置について、図１乃至図６を参照して説明する。
【００１３】
図１に示されるように、本実施形態１に係る電球型ＬＥＤ照明装置１は、第１面Ｆと第２面Ｓとを有する中心板２と、中心板２の周縁にヒンジ機構４によって屈曲可能に接続される複数の周縁板２Ａ，２Ｂと、中心板２の第１面Ｆに設けられるＬＥＤ３と、周縁板２Ａ，２Ｂの第１面Ｆと同じ側の面に設けられるＬＥＤ３Ａ，３Ｂと、周縁板２Ａ，２Ｂの外側端を中心板２と平行な面内にスライド可能に支持するスライド機構６と、中心板２をスライド機構６が設けられた面に対して垂直な方向に移動させる移動機構１１，１２，１３と、電球型の筐体５と、口金１０と、を備えている。
【００１４】
ＬＥＤ３，３Ａ，３Ｂは、白色ＬＥＤである。ＬＥＤ３，３Ａ，３Ｂは、図示しない配線によって、点灯回路を介して口金１０に接続されている。筐体５は、ＬＥＤ３，３Ａ，３Ｂの発する白色光を透過させる乳白色の合成樹脂からなる透光部分５Ａと、不透明な合成樹脂からなる不透明部分５Ｂとから構成される。スライド機構６は、周縁板２Ａ，２Ｂの外側端にヒンジ機構７によって屈曲可能に接続されるスライド板９と、筐体５の不透明部分５Ｂの内周に沿って設けられる一対のスライドガイド８Ａ，８Ｂとからなる。
【００１５】
中心板２を図面上下方向に移動させる移動機構は、中心板２の第２面Ｓに先端が固定されたシャフト１１と、シャフト１１を移動可能に支持するシャフトガイド１２と、シャフト１１に対して垂直に固定されたレバー１３とからなる。レバー１３の先端は、筐体５の不透明部分５Ｂに設けられた長孔５Ｃを貫通して、筐体５の外部に突出している。レバー１３の先端のつまみ１３ａを図面上下方向に移動させると、中心板２も同じ距離を図面上下方向に移動する。
【００１６】
図２は、筐体５を不透明部分５Ｂで水平に切って、上から見たところを示す平面図である。なお、上側のスライドガイド８Ａは、図示を省略している。中心板２は略正方形であり、周縁板２Ａ，２Ｂ以外にも、さらに２枚の周縁板２Ｃ，２Ｄがヒンジ機構４によって屈曲可能に接続されている。周縁板２Ｃ，２Ｄには、白色ＬＥＤ３Ｃ，３Ｄがそれぞれ載置されている。したがって、本実施形態１の電球型ＬＥＤ照明装置１は、５個の白色ＬＥＤを備える。
【００１７】
周縁板２Ａ，２Ｂ，２Ｃ，２Ｄの外側端には、それぞれヒンジ機構７を介して、スライド板９が屈曲可能に接続される。４枚のスライド板９は、筐体５の不透明部分５Ｂの内周に沿ってリング状に設けられたスライドガイド８Ｂに支持される。図示省略したスライドガイド８Ａは、スライドガイド８Ｂとの間で４枚のスライド板９を挟むように、スライドガイド８Ｂに重なってリング状に設けられる。
【００１８】
図３に矢印で示されるように、中心板２が第１面Ｆ方向に距離Ｔだけ移動すると、周縁板２Ａは第２面Ｓ側に、角度θだけ屈曲する。これにより、周縁板２Ａに載置されたＬＥＤ３Ａも角度θだけ外側に傾斜し、電球型ＬＥＤ照明装置１全体の配光角は２θ大きくなる。ヒンジ機構４の中心からヒンジ機構７の中心までの距離Ｌは、電球型ＬＥＤ照明装置１を製造した時点で決まる。したがって、配光角を２θ大きくするには、Ｔ＝Ｌ×ｓｉｎθで求められる距離Ｔだけ中心板２を第１面Ｆ方向に移動させればよい。このように、本実施形態１の電球型ＬＥＤ照明装置１は、正確に配光角を調整することが可能である。
【００１９】
なお、図３に断面で示されるように、白色ＬＥＤ３は、複数個の青色ＬＥＤ素子２０が蛍光材料２１で覆われた構造を有している。青色ＬＥＤ素子２０から発せられる青色光の一部は、蛍光材料２１に吸収されて黄色光を発する。青色ＬＥＤ素子２０から発せられる青色光の残部は、蛍光材料２１を透過してそのまま青色光として出力される。黄色光と青色光は補色の関係にあるため、これらが混合した光は白色に見える。白色ＬＥＤ３Ａ，３Ｂ，３Ｃ，３Ｄの構造も同様である。
【００２０】
本実施形態１の電球型ＬＥＤ照明装置１における配光角の変化について、図４乃至図６を参照して説明する。図４乃至図６は、口金１０を所定のソケットに接続したときのＬＥＤからの発光を、複数の矢印で示す図である。
【００２１】
図４に示されるように、中心板２と４枚の周縁板２Ａ，２Ｂ，２Ｃ，２Ｄがいずれもほぼ同一平面上にある状態では、電球型ＬＥＤ照明装置１の配光角は、白色ＬＥＤ３，３Ａ，３Ｂ，３Ｃ，３Ｄそれぞれの配光角で決まる。白色ＬＥＤ３の配光角が４０度で、他の白色ＬＥＤ３Ａ，３Ｂ，３Ｃ，３Ｄも同様とすると、図４における電球型ＬＥＤ照明装置１の配光角は、４０度となる。スライド板９は、スライドガイド８Ａ，８Ｂに対して最も外側の位置にある。レバー１３は、長孔５Ｃのほぼ中間の位置にある。
【００２２】
この状態から、レバー１３を、Ｔ１＝Ｌ×ｓｉｎ４５°＝０．７０７×Ｌで求められる距離Ｔ１だけ図面上方向に移動させた状態を図５に示す。図５に示されるように、中心板２も同じ距離Ｔ１だけ図面上方向に移動し、４枚の周縁板２Ａ，２Ｂ，２Ｃ，２Ｄは、それぞれ外側に４５度屈曲する。白色ＬＥＤ３，３Ａ，３Ｂ，３Ｃ，３Ｄの配光角を４０度とすると、図５における電球型ＬＥＤ照明装置１の配光角は、４０度＋（２×４５度）＝１３０度となる。スライド板９は、スライドガイド８Ａ，８Ｂに対して内側に突出する方向に移動する。
【００２３】
一方、図４に示される状態から、レバー１３を、Ｔ２＝Ｌ×ｓｉｎ（−２０°）＝−０．３４２×Ｌで求められる距離Ｔ２（負の値となる）だけ図面上方向に、すなわち絶対値‖Ｔ２‖だけ図面下方向に移動させた状態を図６に示す。図６に示されるように、中心板２も同じ距離‖Ｔ２‖だけ図面下方向に移動し、４枚の周縁板２Ａ，２Ｂ，２Ｃ，２Ｄは、それぞれ内側に２０度屈曲する。白色ＬＥＤ３，３Ａ，３Ｂ，３Ｃ，３Ｄの配光角を４０度として、図５の場合と同様に計算すると、計算上では、図６における電球型ＬＥＤ照明装置１の配光角は、４０度＋（２×（−２０度））＝０度となる。スライド板９は、スライドガイド８Ａ，８Ｂに対して内側に突出する方向に移動する。
【００２４】
実際には、出射方向がほぼ０度となるのは、図６に矢印で示されるように、白色ＬＥＤ３Ａ，３Ｂ，３Ｃ，３Ｄの表面の外側端から発せられる光のみである。白色ＬＥＤ３Ａ，３Ｂ，３Ｃ，３Ｄの内側よりの表面から発せられる光は、出射方向が２０度前後傾くことになる。しかし、出射方向が外側に拡がる光の光量は小さいので、電球型ＬＥＤ照明装置１の配光角は、４０度よりも小さくなる。
【００２５】
以上説明したように、本実施形態１に係る電球型ＬＥＤ照明装置１においては、図３に示される長さＬの値を予め求めておき、Ｔ＝Ｌ×ｓｉｎθで求められる距離Ｔだけ中心板２を第１面Ｆ方向に移動させれば、配光角を２θ大きくすることができる。また、白色ＬＥＤ３Ａ，３Ｂ，３Ｃ，３Ｄの配光角が２δの場合には、Ｔ０＝Ｌ×ｓｉｎδで求められる距離Ｔ０だけ中心板２を第２面Ｓ方向に移動させれば、配光角を２δよりも小さくすることができる。中心板２を距離Ｔ（またはＴ０）移動させるには、レバー１３を距離Ｔ（またはＴ０）移動させればよい。
【００２６】
このように、本実施形態１に係る電球型ＬＥＤ照明装置１においては、簡単な構成で、再現性良く、正確に配光角を調整することができる。
【００２７】
［実施形態２］
次に、本発明の実施形態２に係る電球型ＬＥＤ照明装置について、図２及び図７乃至図９を参照して説明する。なお、実施形態１と同一の部分については、同一の符号を付して、その説明を省略または簡略化する。
【００２８】
図７及び図２に示されるように、本実施形態２に係る電球型ＬＥＤ照明装置３０は、第１面Ｆと第２面Ｓとを有する中心板２と、中心板２の周縁にヒンジ機構４によって屈曲可能に接続される４枚の周縁板２Ａ，２Ｂ，２Ｃ，２Ｄと、中心板２の第１面Ｆに設けられるＬＥＤ３と、周縁板２Ａ，２Ｂ，２Ｃ，２Ｄの第１面Ｆと同じ側の面に設けられるＬＥＤ３Ａ，３Ｂ，３Ｃ，３Ｄと、周縁板２Ａ，２Ｂ，２Ｃ，２Ｄの外側端を中心板２と平行な面内にスライド可能に支持するスライド機構６と、中心板２をスライド機構６が設けられた面に対して垂直な方向に移動させる移動機構３１，３２，３３と、電球型の筐体５と、口金１０と、を備えている。
【００２９】
実施形態１と異なるのは、移動機構１１，１２，１３が移動機構３１，３２，３３に変更された点である。
【００３０】
移動機構を構成するロッド３１の一端は、中心板２の第２面Ｓに固定される。ロッド３１の他端は、エアシリンダ３２のピストン３３に固定される。エアシリンダ３２内に圧縮空気を供給する空気配管３２ａ，３２ｂは、筐体５の不透明部分５Ｂを貫通して、筐体５の外部に取り出される。このような小型のエアシリンダ製品としては、例えば、ＣＫＤ（株）のペンシルシリンダＳＣＰシリーズ、ＳＭＣ（株）のコンパクトエアシリンダＣＵＪシリーズ、等がある。
【００３１】
筐体５の外部には、空気配管３２ａ，３２ｂに供給される圧縮空気の量を精密に制御する制御装置（図示省略）が設けられている。その他の部分の構成は、上述した実施形態１に係る電球型ＬＥＤ照明装置１と同様である。
【００３２】
本実施形態２の電球型ＬＥＤ照明装置３０における配光角の変化について、図７乃至図９を参照して説明する。図７乃至図９は、口金１０を所定のソケットに接続したときのＬＥＤからの発光を、複数の矢印で示す図である。
【００３３】
図７に示されるように、中心板２と４枚の周縁板２Ａ，２Ｂ，２Ｃ，２Ｄがいずれもほぼ同一平面上にある状態では、電球型ＬＥＤ照明装置３０の配光角は、白色ＬＥＤ３，３Ａ，３Ｂ，３Ｃ，３Ｄそれぞれの配光角で決まる。白色ＬＥＤ３の配光角が５０度で、他の白色ＬＥＤ３Ａ，３Ｂ，３Ｃ，３Ｄも同様とすると、図７における電球型ＬＥＤ照明装置３０の配光角は、５０度となる。スライド板９は、スライドガイド８Ａ，８Ｂに対して最も外側の位置にある。ピストン３３は、エアシリンダ３２のほぼ中間の位置にある。
【００３４】
この状態から、上述した制御装置を用いて、空気配管３２ｂに圧縮空気を供給し、空気配管３２ａから排出することによって、ピストン３３を図面上方向に移動させる。ピストン３３を、Ｔ３＝Ｌ×ｓｉｎ５０°＝０．７６６×Ｌで求められる距離Ｔ３だけ図面上方向に移動させた状態を図８に示す。図８に示されるように、中心板２も同じ距離Ｔ３だけ図面上方向に移動し、４枚の周縁板２Ａ，２Ｂ，２Ｃ，２Ｄは、それぞれ外側に５０度屈曲する。白色ＬＥＤ３，３Ａ，３Ｂ，３Ｃ，３Ｄの配光角を５０度とすると、図８における電球型ＬＥＤ照明装置３０の配光角は、５０度＋（２×５０度）＝１５０度となる。スライド板９は、スライドガイド８Ａ，８Ｂに対して内側に突出する方向に移動する。
【００３５】
一方、図７に示される状態から、制御装置を用いて、空気配管３２ａに圧縮空気を供給し、空気配管３２ｂから排出することによって、ピストン３３を図面下方向に移動させる。ピストン３３を、Ｔ４＝Ｌ×ｓｉｎ（−２５°）＝−０．４２３×Ｌで求められる距離Ｔ４（負の値となる）だけ図面上方向に、すなわち絶対値‖Ｔ４‖だけ図面下方向に移動させた状態を図９に示す。図９に示されるように、中心板２も同じ距離‖Ｔ４‖だけ図面下方向に移動し、４枚の周縁板２Ａ，２Ｂ，２Ｃ，２Ｄは、それぞれ内側に２５度屈曲する。白色ＬＥＤ３，３Ａ，３Ｂ，３Ｃ，３Ｄの配光角を５０度として、図８の場合と同様に計算すると、計算上は、図９における電球型ＬＥＤ照明装置３０の配光角は、５０度＋（２×（−２５度））＝０度となる。スライド板９は、スライドガイド８Ａ，８Ｂに対して内側に突出する方向に移動する。
【００３６】
実際には、出射方向がほぼ０度となるのは、図９に矢印で示されるように、白色ＬＥＤ３Ａ，３Ｂ，３Ｃ，３Ｄの表面の外側端から発せられる光のみである。白色ＬＥＤ３Ａ，３Ｂ，３Ｃ，３Ｄの内側よりの表面から発せられる光は、出射方向が２５度前後傾くことになる。しかし、出射方向が外側に拡がる光の光量は小さいので、電球型ＬＥＤ照明装置３０の配光角は、５０度よりも小さくなる。
【００３７】
以上説明したように、本実施形態２に係る電球型ＬＥＤ照明装置３０においては、図３に示される長さＬの値を予め求めておき、Ｔ＝Ｌ×ｓｉｎθで求められる距離Ｔだけ中心板２を第１面Ｆ方向に移動させれば、配光角を２θ大きくすることができる。また、白色ＬＥＤ３Ａ，３Ｂ，３Ｃ，３Ｄの配光角が２δの場合には、Ｔ０＝Ｌ×ｓｉｎδで求められる距離Ｔ０だけ中心板２を第２面Ｓ方向に移動させれば、配光角を２δより小さくすることができる。中心板２を距離Ｔ（またはＴ０）移動させるには、空気配管３２ａ，３２ｂへの圧縮空気の供給量を制御して、ピストン３３を距離Ｔ（またはＴ０）移動させればよい。
【００３８】
このように、本実施形態２に係る電球型ＬＥＤ照明装置３０においては、簡単な構成で、再現性良く、正確に配光角を調整することができる。
【００３９】
上記各実施形態においては、中心板２を略正方形として、その四辺に４枚の周縁板２Ａ，２Ｂ，２Ｃ，２Ｄを接続した例について説明した。これに限られるものではなく、周縁板の数は２枚以上（複数）であれば何枚でもよい。また、中心板の形状もどのような形状でもよい。中心板の形状は、周縁板の数に合わせた正多角形に近いことが好ましい。
【００４０】
上記各実施形態においては、中心板２と４枚の周縁板２Ａ，２Ｂ，２Ｃ，２Ｄの全てに各１つのＬＥＤを設けた例について説明した。これに限られるものではなく、中心板２にＬＥＤを設けなくてもよいし、２つ以上のＬＥＤを設けてもよい。４枚の周縁板２Ａ，２Ｂ，２Ｃ，２Ｄのうち少なくとも２枚にＬＥＤを設ければ、他の周縁板にはＬＥＤを設けなくてもよい。また、いずれかの周縁板に２つ以上のＬＥＤを設けてもよい。周縁板の数が異なる場合でも、少なくとも２枚にＬＥＤを設ければ、他の周縁板にはＬＥＤを設けなくてもよい。
【００４１】
上記各実施形態においては、ＬＥＤ３，３Ａ，３Ｂ，３Ｃ，３Ｄとして白色ＬＥＤを用いた場合について説明した。これに限られるものではなく、ＬＥＤ照明装置の用途に応じて、白色以外のＬＥＤを用いることもできる。また、複数のＬＥＤとして、互いに異なる色のＬＥＤを用いてもよい。
【００４２】
上記各実施形態においては、白色ＬＥＤとして、複数の青色ＬＥＤ素子２０を蛍光材料２１で覆った白色ＬＥＤを用いた場合について説明した。これに限られるものではなく、単一の青色ＬＥＤ素子を蛍光材料で覆った白色ＬＥＤを用いてもよい。青色光を吸収して緑色光を発する蛍光材料と、青色光を吸収して赤色光を発する蛍光材料とで、青色ＬＥＤ素子を覆った白色ＬＥＤを用いることもできる。青色ＬＥＤ素子と赤色ＬＥＤ素子と緑色ＬＥＤ素子とを用いて白色を発光させてもよい。
【００４３】
上記各実施形態においては、周縁板を中心板に対して屈曲させる屈曲手段として、中心板に複数の周縁板の内側端をそれぞれ接続するヒンジ機構と、周縁板の外側端を中心板と平行な面内にスライド可能に支持するスライド機構と、中心板をスライド機構が設けられた面に対して垂直な方向に移動させる移動機構とを設けた例について説明した。これに限られるものではなく、例えば中心板を固定して、複数の周縁板の外側端を同時に上方または下方に回転移動させる機構等の、その他の屈曲手段を設けてもよい。中心板に周縁板を屈曲可能に接続する機構も、ヒンジ機構に限られるものでなく、その他の機構を用いてもよい。
【００４４】
上記実施形態２においては、駆動機構としてエアシリンダを用いた場合について説明した。これに限られるものではなく、電動アクチュエータ等のその他の駆動機構を用いてもよい。
【００４５】
上記各実施形態においては、筐体の透光部分を乳白色の合成樹脂で構成する例について説明した。これに限られるものではなく、筐体の透光部分を透明ガラスまたは透明合成樹脂で構成することとしてもよい。透光部分を透明とすることによって、光の散乱が少なくなるため眩しさは増加するが、配光角の制御をより精密に行うことができる。
【００４６】
なお、本発明は、本発明の広義の精神と範囲を逸脱することなく、様々な実施形態及び変形が可能とされるものである。また、上述した各実施形態は、本発明を説明するためのものであり、本発明の範囲を限定するものではない。
【００４７】
上記の各実施形態の一部または全部は、以下の付記のようにも記載されうるが、以下には限られない。
【００４８】
（付記１）
第１面と該第１面とは反対側の第２面とを有する中心板と、
該中心板の周縁に該中心板に対して前記第１面側にも前記第２面側にも屈曲可能に設けられる複数の周縁板と、
前記複数の周縁板を、前記中心板に対して、前記中心板の同じ面の側に同じ角度だけ屈曲させる屈曲手段と、
前記複数の周縁板のうち少なくとも２枚の周縁板の、前記中心板の第１面と同じ側の面に設けられる発光ダイオードと、
少なくとも前記中心板、前記複数の周縁板、前記発光ダイオードを覆い、前記発光ダイオードの発光方向には光を透過させる筐体と、
該筐体に接続され、前記発光ダイオードに電流を供給するための口金と、
を備える電球型発光ダイオード照明装置。
【００４９】
（付記２）
前記屈曲手段は、
前記中心板に前記複数の周縁板の内側端をそれぞれ接続するヒンジ機構と、
前記複数の周縁板の外側端を前記中心板に平行な面内にスライド可能に支持するスライド機構と、
前記中心板を前記スライド機構が設けられた面に対して垂直な方向に移動させる移動機構と、
を備える付記１に記載の電球型発光ダイオード照明装置。
【００５０】
（付記３）
前記移動機構は、前記中心板の前記第２面に先端が固定されるシャフトと、該シャフトを前記筐体に対して前記垂直な方向に移動可能に支持するシャフトガイドと、前記シャフトに垂直に固定されるレバーからなり、該レバーは前記筐体を貫通しており、前記筐体には前記レバーが前記垂直な方向に移動するための長孔が設けられる付記２に記載の電球型発光ダイオード照明装置。
【００５１】
（付記４）
前記移動機構は、前記中心板の前記第２面に先端が固定されたロッドと、該ロッドを前記筐体に対して前記垂直な方向に移動させる駆動機構からなり、該駆動機構は前記筐体の外部に設けられた制御装置によって前記ロッドを精密に移動させることができる付記２に記載の電球型発光ダイオード照明装置。
【００５２】
（付記５）
前記駆動機構はエアシリンダである付記４に記載の電球型発光ダイオード照明装置。
【００５３】
（付記６）
前記中心板の第１面に前記発光ダイオードが設けられる付記１乃至５のいずれか１つに記載の電球型発光ダイオード照明装置。
【００５４】
（付記７）
前記筐体のうち前記光を透過させる部分は透明ガラスまたは透明合成樹脂からなる付記１乃至６のいずれか１つに記載の電球型発光ダイオード照明装置。
【００５５】
（付記８）
前記発光ダイオードが前記中心板及び前記複数の周縁板のうち少なくとも１つの面に複数設けられる付記１乃至７のいずれか１つに記載の電球型発光ダイオード照明装置。
【産業上の利用可能性】
【００５６】
本発明の電球型発光ダイオード照明装置は、簡単な構成で配光角を正確に調整でき、特に配光角を大きくすることができる電球型発光ダイオード照明装置として適している。
【符号の説明】
【００５７】
１，３０  電球型ＬＥＤ照明装置（電球型発光ダイオード照明装置）
２  中心板
２Ａ，２Ｂ，２Ｃ，２Ｄ  周縁板
３，３Ａ，３Ｂ，３Ｃ，３Ｄ  ＬＥＤ（発光ダイオード）
４，７  ヒンジ機構
５  筐体
５Ａ  透光部分
５Ｂ  不透明部分
５Ｃ  長孔
６  スライド機構
８Ａ，８Ｂ  スライドガイド
９  スライド板
１０  口金
１１  シャフト
１２  シャフトガイド
１３  レバー
２０  青色ＬＥＤ素子
２１  蛍光材料
３１  ロッド
３２  エアシリンダ
３２ａ，３２ｂ  空気配管
３３  ピストン
Ｆ  第１面
Ｓ  第２面
【図１】
2013073676.tif 000003
【図２】
2013073676.tif 000004
【図３】
2013073676.tif 000005
【図４】
2013073676.tif 000006
【図５】
2013073676.tif 000007
【図６】
2013073676.tif 000008
【図７】
2013073676.tif 000009
【図８】
2013073676.tif 000010
【図９】
2013073676.tif 000011